(57)【要約】【課題】外観および保守性を損なうことなく、防水性能を確保できる加熱調理器を提供する。【解決手段】この加熱調理器１では、キャビネット２の天面部２Ａにかかった水等が継ぎ合わせ部である外縁部１１に来ても、その水等を溝１０に沿って側方へ流すことができるので、外縁部１１に水等が来ても調理器１の内部へ浸入するのを防止できる。また、キャビネット２の屈曲部１２がコントロールパネル７の溝１０内に延在しているので、屈曲部１２が、溝１０を越えて漏れ出そうとする水に対する防水壁となり、外部からコントロールパネル７の溝１０にかかった水等が溝１０を越えて上記キャビネット２内へ浸入するのを防止できる。【選択図】図２Ａ
2012093019.tif 000002
【特許請求の範囲】
【請求項１】
天面部を有する本体ケーシングと、
上記本体ケーシングの天面部に接続される天面部を有すると共に内側に電装部品を有する前面パネルと
を備え、
上記本体ケーシングの天面部と上記前面パネルの天面部のうちの一方の天面部は、
上記本体ケーシングの天面部と上記前面パネルの天面部のうちの他方の天面部の外縁部の直上まで延在している外縁部を有し、
上記一方の天面部の外縁部は、下方に向かって屈曲した水滴滴下部を含み、
上記他方の天面部の外縁部は、上記水滴滴下部から滴下された水滴が上記一方の天面部側に流れることを防ぐ水滴浸入防止部を有することを特徴とする加熱調理器。
【請求項２】
請求項１に記載の加熱調理器において、
上記水滴浸入防止部は、
上記水滴滴下部の下端に対向するように配置されていると共に上方に開口していて側方に延在する溝であることを特徴とする加熱調理器。
【請求項３】
請求項２に記載の加熱調理器において、
上記水滴滴下部は、上記溝の開口から上記溝内に延在しており、
上記水滴滴下部と、上記溝の上記一方の天面部側の溝壁または上記溝の溝底の少なくとも一方との間に隙間を設けたことを特徴とする加熱調理器。
【請求項４】
請求項２または３に記載の加熱調理器において、
上記溝は、少なくとも一つの溝端に向けて下方に傾斜していることを特徴とする調理器。
【請求項５】
請求項１に記載の加熱調理器において、
上記他方の天面部の外縁部は、上記水滴滴下部から滴下された水滴を上記一方の天面部から離れる方向へ導く水滴浸入防止部を有し、
上記水滴浸入防止部は、
上記一方の天面部から離れる方向へ向かって下り勾配で傾斜した傾斜面を有することを特徴とする加熱調理器。
【発明の詳細な説明】
【技術分野】
【０００１】
この発明は、例えば、電子レンジ,蒸気調理器,やオーブンレンジ等の加熱調理器に関する。
【背景技術】
【０００２】
現在、ＩＥＣ(International Electrotechnical Commission)やＥＮ(European Norm)において、電子レンジ等の家庭用電気製品に関する安全基準の一つとして防水性(水漏れに対する電気部品の保護)の規格化が検討されている。
【０００３】
ここで、図５に示すように、例えば、ビルトイン型の電子レンジ等の調理器１００において、２つの部材の継ぎ合わせ部分としてのキャビネット１０１とコントロールパネル１０２との継ぎ合わせ部分１０７から水や煮汁等が浸入すると、内部の電気部品の故障や感電を招く恐れが生じる。
【０００４】
そこで、従来、図５の一点鎖線で囲まれた部分Ｊの拡大断面図である図６に示すように、キャビネット１０１の継ぎ合わせ部１０３とコントロールパネル１０２の継ぎ合わせ部１０４との間にシリコンゴム等からなるパッキン,防水クッション,接着材等によるシール部材１０５を貼り付けたり挟んだりして、上記継ぎ合わせ部分１０７から内部に水分等が浸入しないようにしている。これにより、例えば、キャビネット１０１の継ぎ合わせ部１０３に隣接する配線用連絡孔１０６,コントロールパネル１０２の継ぎ合わせ部１０４に隣接する配線用連絡孔１０７から内部の電気部品に水分等が浸入することを防止できる。
【０００５】
しかし、上記従来の調理器１００では、上記パッキン,防水クッション等によるシール部材１０５が外から見えると見栄えが悪く外観が損なわれる。特に、シール部材１０５が継ぎ目からはみ出すと見栄えが悪くなる。
【０００６】
また、ゴム等のシール部材の劣化により、長期にわたって使用すると、防水性が損なわれるという問題がある。
【０００７】
また、上記キャビネット１０１の継ぎ合わせ部１０３とコントロールパネル１０２の継ぎ合わせ部１０５とを接着材によるシール部材で接着してしまうと上記キャビネット１０１とコントロールパネル１０２とを容易に分離できないので、メンテナンスに支障が生じる。
【先行技術文献】
【特許文献】
【０００８】
【特許文献１】特開２０００−１２２０９号公報
【発明の概要】
【発明が解決しようとする課題】
【０００９】
そこで、この発明の課題は、外観および保守性を損なうことなく、防水性能を長期にわたって確保できる加熱調理器を提供することにある。
【課題を解決するための手段】
【００１０】
上記課題を解決するため、この発明の加熱調理器は、天面部を有する本体ケーシングと、
上記本体ケーシングの天面部に接続される天面部を有すると共に内側に電装部品を有する前面パネルと
を備え、
上記本体ケーシングの天面部と上記前面パネルの天面部のうちの一方の天面部は、
上記本体ケーシングの天面部と上記前面パネルの天面部のうちの他方の天面部の外縁部の直上まで延在している外縁部を有し、
上記一方の天面部の外縁部は、下方に向かって屈曲した水滴滴下部を含み、
上記他方の天面部の外縁部は、上記水滴滴下部から滴下された水滴が上記一方の天面部側に流れることを防ぐ水滴浸入防止部を有することを特徴としている。
【００１１】
この発明の加熱調理器によれば、本体ケーシングもしくは前面パネルの一方の天面部にかかった水等が外縁部に来ても、その水等を上記屈曲した水滴滴下部が上記他方の天面部の外縁部の水滴浸入防止部に滴下する。この水滴浸入防止部は、上記水滴滴下部から滴下された水滴が上記一方の天面部側に流れることを防ぐ。例えば、上記水滴浸入防止部は、上記水滴を、上記他方の天面部に沿って側方もしくは上記一方の天面部から離れる方向へ導く。これにより、本体ケーシングまたは前面パネルの天面部にかかった水等が加熱調理器の内部へ浸入するのを防止できる。
【００１２】
したがって、この発明によれば、耐久性に劣るパッキン,防水クッション,接着材等によるシール部材を用いることなく、本体ケーシングと前面パネルとの継ぎ合せ部となる外縁部から内部に水分等が浸入することを防止できる。よって、この発明によれば、外観および保守性を損なうことなく、長期にわたって確実に防水性能を確保できる。
【００１３】
また、一実施形態の加熱調理器では、上記水滴浸入防止部は、
上記水滴滴下部の下端に対向するように配置されていると共に上方に開口していて側方に延在する溝である。
【００１４】
この実施形態によれば、上記水滴滴下部から上記溝へ水滴が滴下され、この溝に沿って、水を側方へ流すことができるので、本体ケーシングと前面パネルとの継ぎ合せ部となる外縁部から加熱調理器の内部へ水が浸入するのを防止できる。
【００１５】
また、一実施形態の加熱調理器では、上記水滴滴下部は、上記溝の開口から上記溝内に延在しており、
上記水滴滴下部と、上記溝の上記一方の天面部側の溝壁および上記溝の溝底の少なくとも一方との間に隙間を設けた。
【００１６】
この実施形態によれば、上記水滴滴下部と、上記溝の上記一方の天面部側の溝壁との間に隙間を設けた場合、上記一方の天面部の上記外縁部と、上記他方の天面部の外縁部の溝の溝壁との間の隙間を、毛細管現象が生じないようにあけることで水等が上記溝壁と水滴滴下部との間の隙間で毛細管現象により上方へ吸い上げられるのを防止できる。よって、上記溝に沿って水滴を円滑に流して、水分等が内部へ浸入することを防止できる。また、上記水滴滴下部と上記溝の溝底との間に隙間を設けた場合、上記他方の天面部の外縁部の溝と上記一方の天面部の外縁部の水滴滴下部とがラビリンス構造をなすことによって、上記溝から内部に水等が浸入することを防止できる。
【００１７】
また、一実施形態の加熱調理器では、上記溝は、少なくとも一つの溝端に向けて下方に傾斜している。
【００１８】
この実施形態によれば、外部から上記他方の天面部の外縁部の溝にかかった水等を、上記傾斜した溝に沿って下降させて少なくとも一つの溝端に向けて排出できるので、上記溝内に水等が溜ることを防止でき、防水性能を向上できる。
【００１９】
なお、上記溝の中央部から両方の溝端(２つの溝端)に向けて下方に傾斜していてもよい。
【００２０】
また、一実施形態の加熱調理器では、上記他方の天面部の外縁部は、上記水滴滴下部から滴下された水滴を上記一方の天面部から離れる方向へ導く水滴浸入防止部を有し、
上記水滴浸入防止部は、
上記一方の天面部から離れる方向へ向かって下り勾配で傾斜した傾斜面を有する。
【００２１】
この実施形態によれば、上記一方の天面部の水滴滴下部から上記他方の天面部の傾斜面へ水滴が滴下され、この傾斜面に沿って、水を上記一方の天面部から離れる方向へ向かって導くので、本体ケーシングと前面パネルとの継ぎ合せ部となる外縁部から加熱調理器の内部へ水が浸入するのを防止できる。
【発明の効果】
【００２２】
この発明の加熱調理器によれば、本体ケーシングもしくは前面パネルの一方の天面部にかかった水等が外縁部に来ても、その水等を上記屈曲した水滴滴下部が上記他方の天面部の外縁部の水滴浸入防止部に滴下する。この水滴浸入防止部は上記水滴滴下部から滴下された水滴が上記一方の天面部側に流れることを防ぐ。これにより、本体ケーシングまたは前面パネルの天面部にかかった水等が加熱調理器の内部へ浸入するのを防止できる。
【００２３】
したがって、この発明によれば、耐久性に劣るパッキン,防水クッション,接着材等によるシール部材を用いることなく、本体ケーシングと前面パネルとの継ぎ合せ部となる外縁部から内部に水分等が浸入することを防止できる。よって、この発明によれば、外観および保守性を損なうことなく、長期にわたって確実に防水性能を確保できる。
【図面の簡単な説明】
【００２４】
【図１】この発明の加熱調理器の実施形態の部分側面図である。
【図２Ａ】上記実施形態のキャビネットとコントロールパネルとの継ぎ合せ部の構造を示す断面図である。
【図２Ｂ】上記加熱調理器のキャビネットとコントロールパネルとの継ぎ合せ部の構造の変形例を示す断面図である。
【図３Ａ】上記実施形態のコントロールパネルに形成された溝の形状を模式的に示す正面図である。
【図３Ｂ】上記実施形態のコントロールパネルに形成された溝の変形例の形状を模式的に示す正面図である。
【図４Ａ】上記実施形態のキャビネットとコントロールパネルとの継ぎ合せ部の構造のもう１つの変形例を示す断面図である。
【図４Ｂ】上記実施形態のキャビネットとコントロールパネルとの継ぎ合せ部の構造のさらに別の変形例を示す断面図である。
【図５】従来の調理器の部分側面図である。
【図６】上記従来の調理器のキャビネットとコントロールパネルとの継ぎ合せ部の構造を示す断面図である。
【発明を実施するための形態】
【００２５】
以下、この発明を図示の実施の形態により詳細に説明する。
【００２６】
図１は、この発明の加熱調理器１の側面を部分的に示す部分側面図であり、図２Ａは、図１の一点鎖線で囲まれた部分Ｋの拡大断面図であり、上記加熱調理器１のキャビネット２とコントロールパネル７との継ぎ合わせ部分を示す部分断面図である。
【００２７】
この加熱調理器１は、図１では示されていないが、キッチンユニットに収容されるビルトイン型であって、被調理物が収容されるキャビネット２と、このキャビネット２の開口部４の下端に開閉自在に軸支されたドア５と、上記キャビネット２の開口部４の上方部分６に取り付けられたコントロールパネル７とを備える。上記キャビネット２は、上記被調理物が収容される収容部(図示せず)を有し、さらに、上記キャビネット２には、上記収容部に収容された被調理物を加熱調理する加熱部(図示せず)および電源部(図示せず)等が内蔵されている。上記コントロールパネル７が本体ケーシングの一例をなし、上記キャビネット２が前面パネルの一例をなす。
【００２８】
図２Ａに示すように、上記キャビネット２の天面部２Ａの外縁部１１は、上記コントロールパネル７の天面部７Ａの外縁部８の直上まで延在している。上記コントロールパネル７の天面部７Ａは、上記キャビネット２の天面部２Ａの外縁部１１との継ぎ合わせ部となる外縁部８に上方に向けて開口した溝１０を有する。この溝１０が水滴浸入防止部をなす。また、上記キャビネット２の天面部２Ａは、上記コントロールパネル７の天面部７Ａの外縁部８との継ぎ合わせ部となる外縁部１１に、下方に略逆Ｌ字形状に屈曲した屈曲部１２を有する。この屈曲部１２は、水滴滴下部をなし、上記溝１０の開口から溝１０内に延在するように屈曲している。
【００２９】
また、上記コントロールパネル７の溝１０の溝底１０Ａと上記キャビネット２の屈曲部１２との間には、隙間１３が設けられている。また、上記キャビネット２の屈曲部１２と上記コントロールパネル７の溝１０のキャビネット２側の溝壁１０Ｂとの間には、隙間１５が設けられている。
【００３０】
また、上記コントロールパネル７の後面部１７と上記キャビネット２の前面部１８とは、図示しないビス等で締結される。また、上記コントロールパネル７の後面部１７は、図２Ａに示すように、部分的に上方へ突出している突出部２０を有し、この突出部２０の先端部が上記キャビネット２の外縁部１１の裏面に当接している。
【００３１】
また、コントロールパネル７の後面部１７には、配線用連絡孔２１が形成され、この配線用連絡孔２１は、キャビネット２の前面部１８に形成された配線用連絡孔２２に対向している。この配線用連絡孔２１,２２を通して制御用配線(図示せず)がコントロールパネル７から上記キャビネット２に内蔵された上記加熱部の制御部に接続される。また、上記配線用連絡孔２１,２２を通して電源用配線(図示せず)が上記キャビネット２に内蔵された上記電源部から上記コントロールパネル７に内蔵された電装部品９に接続される。この電装部品９は、図示しない操作部,表示部等に接続される。
【００３２】
また、この実施形態の加熱調理器では、図３Ａの正面図に示すように、上記コントロールパネル７の外縁部８に形成した溝１０の溝底１０Ａを側方の一端から他端に向かって下り勾配となるように傾斜させた。
【００３３】
この実施形態の加熱調理器１によれば、例えば、ユーザが水等をこぼして、キャビネット２の天面部２Ａにかかった水等が継ぎ合わせ部である外縁部１１に来ても、その水等を屈曲部１２で溝１０内に案内し、溝１０に沿って側方へ流すことができるので、外縁部１１に水等が来ても加熱調理器１の内部へ浸入するのを防止できる。また、上記キャビネット２の屈曲部１２がコントロールパネル７の溝１０内に延在している。したがって、屈曲部１２が、溝１０を越えて漏れ出そうとする水に対する防水壁となり、外部からコントロールパネル７の溝１０にかかった水等が溝１０を越えてキャビネット２内へ浸入するのを防止できる。また、キャビネット２の屈曲部１２と、コントロールパネル７の溝１０の溝壁１０Ｂとの間の隙間１５を、毛細管現象が生じないように設定することで水等が溝壁１０Ｂと屈曲部１２との間の隙間１５で毛細管現象により上方へ吸い上げられるのを防いで溝１０に沿って水を円滑に流すことができる。よって、水分等が内部へ浸入することを防止できる。
【００３４】
したがって、この実施形態の加熱調理器１によれば、耐久性に劣るパッキン,防水クッション,接着材等によるシール部材を用いることなく、キャビネット２とコントロールパネル７との継ぎ合わせ部をなす外縁部１１,８から内部に水等が浸入することを防止できる。したがって、この実施形態によれば、外観および保守性を損なうことなく、長期にわたって確実に防水性能を確保できる。
【００３５】
また、この実施形態の加熱調理器１では、上記コントロールパネル７の溝１０の溝底１０Ａと上記キャビネット２の屈曲部１２との間に隙間１３があいているので、上記コントロールパネル７の溝１０と上記キャビネット２の屈曲部１２とがなすラビリンス構造によって、溝１０から内部に水等が浸入することを防ぐことができる。なお、上記隙間１３がなく、上記キャビネット２の屈曲部１２の先端１２Ａが上記コントロールパネル７の溝１０の溝底１０Ａに接触していてもよい。この場合にも、上記溝１０から上記屈曲部１２と溝壁１０Ｂとの間の隙間１５への水等の浸入を防止できる。
【００３６】
また、この実施形態の加熱調理器１では、上記キャビネット２の屈曲部１２の先端１２Ａは、図２Ａに示すように、溝１０内で溝底１０Ａに向けられているので、ユーザが触れることがなく、先端１２Ａで怪我をすることがない。また、上記屈曲部１２,コントロールパネル７の溝１０の溝壁１０Ｂは、図２Ａに示すように、折り曲げた板金が二重に重なっている構造であるので、屈曲部１２の先端１２Ａ,溝壁１０Ｂの先端１０Ｇがエッジの取れた湾曲形状になっている。よって、メンテナンス時に屈曲部１２の先端１２Ａに触れたとしても怪我をするおそれがない。
【００３７】
また、この実施形態の加熱調理器１では、上記コントロールパネル７の溝１０は、図３Ａに示すように、溝底１０Ａが側方の一端から他端に向かって下り勾配となるように傾斜している。これにより、外部から上記コントロールパネル７の溝１０にかかった水等を、上記溝１０に沿って下降させて溝端１０Ｃに向けて排出できるので、上記溝１０内に水等が溜ることを防止でき、防水性能を向上できる。なお、上記コントロールパネル７,上記前開きドア５の側部に、上記溝１０の溝端１０Ｃに連なる縦溝７Ｅ,５Ｅを形成して、上記溝端１０Ｃから縦溝７Ｅ,５Ｅに水等や調味料等の液体を導いて排出するようにしてもよい。さらに、上記コントロールパネル７の側部に形成した縦溝７Ｅを上記外縁部８に形成した溝１０が上記側部にまで延長したものとすると共に、上記キャビネット２の外縁部１１に形成した屈曲部１２を上記キャビネット２の側部にまで延長したものとして、上記延長した縦溝７Ｅ内に上記延長した屈曲部１２が延在するものとしてもよい。これにより、コントロールパネル２の側方から水等がかかった場合の防水性を向上できる。
【００３８】
また、図３Ｂに示すように、上記コントロールパネル７の溝１０が、溝底１０Ａ‐１,溝底１０Ａ‐２が延在方向の略中央から両端に向かって下り勾配となるように傾斜していてもよい。この場合も、外部から上記コントロールパネル７の溝１０にかかった水等を、上記溝底１０Ａに沿って下降させて溝端に向けて排出できる。また、上記コントロールパネル７,上記前開きドア５の両側部に、上記溝１０の溝底１０Ａ‐１,溝底１０Ａ‐２の溝端に連なる縦溝７Ｅ,７Ｆ,５Ｅ,５Ｆを形成して、上記溝底１０Ａ‐１,溝底１０Ａ‐２の溝端から縦溝７Ｅ,５Ｅ,７Ｆ,５Ｆに水等を排出するようにしてもよい。
【００３９】
尚、上記実施形態の加熱調理器１では、図２Ａに示すように、一方のケーシング部材を上記コントロールパネル７とし、他方のケーシング部材を上記キャビネット２として、コントロールパネル７に溝１０を形成し、キャビネット２に屈曲部１２を形成したが、逆に、図２Ｂに示す変形例のように、キャビネット７２の天面部７２Ａの外縁部７１に上方に向けて開口した溝８０を形成し、コントロールパネル７７の天面部７７Ａの外縁部７８に上記溝８０の開口から上記溝８０内に延在する屈曲部８２を形成してもよい。また、上記実施形態の加熱調理器１では、コントロールパネル７の溝１０を側方の延在方向に傾斜させたが、平坦に延在する溝としてもよい。
【００４０】
また、図４Ａに、上記実施形態のキャビネットとコントロールパネルとの継ぎ合せ部の構造のもう１つの変形例の断面を示す。この変形例は、図２Ａに示すコントロールパネル７に替えて、コントロールパネル８７を備えた点が、前述の実施形態と異なる。この変形例は、前述の実施形態と同様のキャビネット２を備える。この変形例のコントロールパネル８７は、上記コントロールパネル７とは異なり、水滴浸入防止部としての溝１０を備えていない。すなわち、このコントロールパネル８７は、天面部８７Ａの外縁部８８が上記キャビネット２から離れる方向である前方へ向かって下り勾配で傾斜していると共に湾曲した傾斜面９０Ａを含む傾斜部９０を水滴浸入防止部として有している。そして、キャビネット２の天面部２Ａの外縁部１１に形成された水滴滴下部としての屈曲部１２は、上記コントロールパネル８７の天面部８７Ａの外縁部８８の傾斜部９０の直上まで延在している。上記屈曲部１２の先端１２Ａと外縁部８８との間には隙間８３が設けられている。また、上記キャビネット２の屈曲部１２と上記コントロールパネル８７の外縁部８８のキャビネット２側の端壁８８Ｂとの間には、隙間８５が設けられている。また、コントロールパネル８７の後面部８４には、配線用連絡孔８９が形成されている。また、上記屈曲部１２の先端１２Ａ,上記端壁８８Ｂの先端８８Ｇは、折り曲げた板金が二重に重なっていてエッジの取れた湾曲形状であるので、ユーザが触れても怪我をするおそれがない。
【００４１】
この変形例によれば、上記キャビネット２の天面部２Ａの水滴滴下部としての屈曲部１２から上記コントロールパネル８７の天面部８７Ａの傾斜面９０Ａへ水滴が滴下され、この滴下された水滴を傾斜面９０Ａに沿って、上記キャビネット２の天面部２Ａから離れる方向つまり前方へ向かって導く。よって、本体ケーシングとしてのキャビネット２と前面パネルとしてのコントロールパネル８７との継ぎ合せ部となる外縁部８８,１１から加熱調理器の内部へ水が浸入するのを防止できる。なお、上記変形例では、水滴浸入防止部としての傾斜面９０Ａを湾曲させたが湾曲していない平面状の傾斜面でもよい。
【００４２】
また、図４Ｂに、上記実施形態のキャビネットとコントロールパネルとの継ぎ合せ部の構造のさらに別の変形例の断面を示す。この変形例は、図２Ｂに示すキャビネット７２に替えて、キャビネット９１を備えた点が、図２Ｂに示す変形例と異なる。この変形例は、図２Ｂの変形例と同様のコントロールパネル７７を備える。
【００４３】
この変形例のキャビネット９１は、図２Ｂのキャビネット７２とは異なり、水滴浸入防止部としての溝８０を備えていない。すなわち、このキャビネット９１は、天面部９１Ａの外縁部９２が上記コントロールパネル７７から離れる方向である後方に向かって下り勾配で傾斜している傾斜面９３Ａを含む傾斜部９３を水滴浸入防止部として有している。そして、コントロールパネル７７の天面部７７Ａの外縁部７８に形成された水滴滴下部としての屈曲部８２は、キャビネット９１の天面部９１Ａの傾斜面９３Ａの直上まで延在している。この変形例によれば、上記コントロールパネル７７の天面部７７Ａの屈曲部８２からキャビネット９１の天面部９１Ａの傾斜面９３Ａへ水滴が滴下され、この滴下された水滴を傾斜面９３Ａに沿って、上記コントロールパネル７７の天面部７７Ａから離れる方向つまり後方へ向かって導く。よって、本体ケーシングとしてのキャビネット９１と前面パネルとしてのコントロールパネル７７との継ぎ合せ部となる外縁部７８,９４から加熱調理器の内部へ水が浸入するのを防止できる。
【００４４】
尚、本発明は、電子レンジ,蒸気調理器やオーブンレンジ等の加熱調理器に適用でき、キッチンカウンター下に収納されるビルトイン式の加熱調理器だけでなく、単体で独立して使用される加熱調理器にも適用できる。
【符号の説明】
【００４５】
１  加熱調理器
２,７２,９１  キャビネット
２Ａ,７２Ａ,９１Ａ  天面部
４  開口部
５  ドア
５Ｅ,５Ｆ  縦溝
６  上方部分
７,７７,８７  コントロールパネル
７Ａ,７７Ａ,８７Ａ  天面部
７Ｅ,７Ｆ  縦溝
８,７８,８８  外縁部
９  電装部品
１０,８０  溝
１０Ａ,１０Ａ-１,１０Ａ-２  溝底
１０Ｂ  溝壁
１０Ｃ,１０Ｄ  溝端
１０Ｇ  先端
１１,７１,９４  外縁部
１２,８２,  屈曲部
１２Ａ  先端
１３,１５,８３,８５  隙間
１７  後面部
２０  突出部
２１,２２  配線用連絡孔
９０,９３  傾斜部
９０Ａ,９３Ａ  傾斜面
【図１】
2012093019.tif 000003
【図２Ａ】
2012093019.tif 000004
【図２Ｂ】
2012093019.tif 000005
【図３Ａ】
2012093019.tif 000006
【図３Ｂ】
2012093019.tif 000007
【図４Ａ】
2012093019.tif 000008
【図４Ｂ】
2012093019.tif 000009
【図５】
2012093019.tif 000010
【図６】
2012093019.tif 000011